(57)【特許請求の範囲】
【請求項１】
無線アクセスシステムにおいてハンドオーバーを行うように移動局（ＭＳ）を制御する方法であって、前記方法は、
サービング基地局（ＳＢＳ）から、移動局（ＭＳ）により、前記ＭＳがネットワーク再進入の実行を開始するフレームの数を指示する動作時間フィールドを含むハンドオーバー命令メッセージを受信することと、
ターゲット基地局（ＴＢＳ）から、前記ＭＳにより、レンジング機会を含むスーパーフレームヘッダー（ＳＦＨ）を受信することと、
前記ＭＳにより、前記ＴＢＳに、前記ネットワーク再進入に対する前記動作時間フィールドにより指示されるフレームで、または前記ネットワーク再進入に対する前記動作時間フィールドにより指示されるフレームの後に、レンジングコードを送信することと
を含み、
専用レンジングコードおよび専用レンジング情報が前記ハンドオーバー命令メッセージに含まれる場合には、前記専用レンジングコードが、前記専用レンジング情報により指示されるサブフレームにおいて送信され、
前記専用レンジング情報は、前記ＴＢＳにより割り当てられたレンジング機会のサブフレームインデックスを指示し、
前記専用レンジングコードおよび前記専用レンジング情報が前記ハンドオーバー命令メッセージに含まれない場合に、ランダムに選択されたレンジングコードが、前記ＳＦＨにより指示される前記レンジング機会を介して送信される、方法。
【請求項２】
無線アクセスシステムにおいて移動局（ＭＳ）のハンドオーバーを支援するようにターゲット基地局（ＴＢＳ）を制御する方法であって、前記方法は、
ターゲット基地局（ＴＢＳ）により、レンジング機会を含むスーパーフレームヘッダー（ＳＦＨ）をブロードキャストすることと、
移動局（ＭＳ）から、前記ＴＢＳにより、前記ＭＳがネットワーク再進入の実行を開始するフレームの数を指示する動作時間フィールドにより指示されるフレームで、または前記ネットワーク再進入に対する前記動作時間フィールドにより指示されるフレームの後に、レンジングコードを受信することであって、前記動作時間フィールドは、サービング基地局（ＳＢＳ）から前記ＭＳにより受信されるハンドオーバー命令メッセージに含まれ、前記ハンドオーバー命令メッセージが専用レンジングコードおよび専用レンジング情報を含む場合には、前記専用レンジングコードが、前記専用レンジング情報により指示されるサブフレームにおいて受信され、前記専用レンジング情報は、前記ＴＢＳにより割り当てられたレンジング機会のサブフレームインデックスを指示し、前記専用レンジングコードおよび前記専用レンジング情報が前記ハンドオーバー命令メッセージに含まれない場合に、ランダムに選択されたレンジングコードが、前記ＳＦＨにより指示される前記レンジング機会を介して送信される、ことと、
前記ＴＢＳにより、前記レンジングコードに基づいて、前記ＳＢＳから前記ＴＢＳへの前記ＭＳのハンドオーバーを実行することと
を含む、方法。
【請求項３】
広帯域無線アクセスシステムにおいて動作される移動局（ＭＳ）であって、前記移動局（ＭＳ）は、
プロセッサと、
無線周波数（ＲＦ）モジュールと
を含み、
前記無線周波数（ＲＦ）モジュールは、前記プロセッサから制御信号を受信する際に外部にＲＦ信号を送信し、外部からＲＦ信号を受信し、
前記プロセッサは、
サービング基地局（ＳＢＳ）から、前記ＭＳがネットワーク再進入の実行を開始するフレームの数を指示する動作時間フィールドを含むハンドオーバー命令メッセージを受信することと、
ターゲット基地局（ＴＢＳ）から、レンジング機会を含むスーパーフレームヘッダー（ＳＦＨ）を受信することと、
前記ＴＢＳに、前記ネットワーク再進入に対する前記動作時間フィールドにより指示されるフレームで、または前記ネットワーク再進入に対する前記動作時間フィールドにより指示されるフレームの後に、レンジングコードを送信することと
を実行するように構成され、
専用レンジングコードおよび専用レンジング情報が前記ハンドオーバー命令メッセージに含まれる場合には、前記専用レンジングコードが、前記専用レンジング情報により指示されるサブフレームにおいて送信され、
前記専用レンジング情報は、前記ＴＢＳにより割り当てられたレンジング機会のサブフレームインデックスを指示し、
前記専用レンジングコードおよび前記専用レンジング情報が前記ハンドオーバー命令メッセージに含まれない場合に、ランダムに選択されたレンジングコードが、前記ＳＦＨにより指示される前記レンジング機会を介して送信される、移動局（ＭＳ）。
【請求項４】
前記ターゲット基地局（ＴＢＳ）に、前記動作時間フィールドにより指示されるフレームで、または前記動作時間フィールドにより指示されるフレームの後に、前記レンジングコードを送信することは、
前記専用レンジングコードおよび前記専用レンジング情報が前記ハンドオーバー命令メッセージに含まれるか否かを決定することを含む、請求項１に記載の方法。
【請求項５】
前記レンジングコードに基づいて、前記ＳＢＳから前記ＴＢＳへのハンドオーバーを実行することをさらに含む、請求項１に記載の方法。
【請求項６】
前記プロセッサは、前記専用レンジングコードおよび前記専用レンジング情報が前記ハンドオーバー命令メッセージに含まれるか否かを決定するようにさらに構成される、請求項３に記載の移動局（ＭＳ）。
【請求項７】
前記プロセッサは、前記レンジングコードに基づいて、前記ＳＢＳから前記ＴＢＳへのハンドオーバーを実行するようにさらに構成される、請求項３に記載の移動局（ＭＳ）。
【発明の詳細な説明】
【技術分野】
【０００１】
本発明は、広帯域無線接続システムに関し、特に、効率的にハンドオーバーを行う方法に関する。
【背景技術】
【０００２】
ハンドオーバー（Ｈａｎｄｏｖｅｒ、ＨＯ）は、端末が、一つの基地局の無線インターフェースから他の基地局の無線インターフェースへ移動することを指す。以下では、一般のＩＥＥＥ  ８０２．１６ｅシステムにおけるハンドオーバー手順について説明する。
【０００３】
ＩＥＥＥ  ８０２．１６ネットワークにおいて、サービング基地局（ＳＢＳ：Ｓｅｒｖｉｎｇ  Ｂａｓｅ  Ｓｔａｔｉｏｎ）は移動端末（ＭＳ：Ｍｏｂｉｌｅ  Ｓｔａｔｉｏｎ、以下、「端末」という。）に基本的なネットワーク構成に関する情報（トポロジー）を知らせるために、隣接基地局情報を隣接基地局広告（ＭＯＢ＿ＮＢＲ−ＡＤＶ）メッセージを通じてブロードキャスト（ｂｒｏａｄｃａｓｔ）することができる。
【０００４】
ＭＯＢ＿ＮＢＲ−ＡＤＶメッセージには、サービング基地局と隣接基地局に関するシステム情報、例えば、プリアンブルインデックス（ｐｒｅａｍｂｌｅ  ｉｎｄｅｘ）、周波数（ｆｒｅｑｕｅｎｃｙ）、ハンドオーバー最適化（ＨＯ  ｏｐｔｉｍｉｚａｔｉｏｎ）可能度合、及びＤＣＤ（Ｄｏｗｎｌｉｎｋ  Ｃｈａｎｎｅｌ  Ｄｅｓｃｒｉｐｔｏｒ）／ＵＣＤ（Ｕｐｌｉｎｋ  Ｃｈａｎｎｅｌ  Ｄｅｓｃｒｉｐｔｏｒ）情報などが含まれている。
【０００５】
ＤＣＤ／ＵＣＤ情報は、ダウンリンク及びアップリンクを介した情報交信を行うために端末が知っていなければならない情報を含んでおり、例えば、ハンドオーバートリガー（ＨＯ  ｔｒｉｇｇｅｒ）情報、基地局のＭＡＣバージョン（Ｍｅｄｉｕｍ  Ａｃｃｅｓｓ  Ｃｏｎｔｒｏｌ  ｖｅｒｓｉｏｎ）及びＭＩＨ能力（Ｍｅｄｉａ  Ｉｎｄｅｐｅｎｄｅｎｔ  Ｈａｎｄｏｖｅｒ  ｃａｐａｂｉｌｉｔｙ）のような情報が挙げられる。
【０００６】
一般のＭＯＢ＿ＮＢＲ−ＡＤＶメッセージには、ＩＥＥＥ  ８０２．１６ｅ類型の隣接基地局に関する情報のみを含んでいる。そのため、ＩＥＥＥ  ８０２．１６ｅ類型以外の隣接基地局情報は、ＳＩＩ−ＡＤＶ（Ｓｅｒｖｉｃｅ  Ｉｄｅｎｔｉｔｙ  Ｉｎｆｏｒｍａｔｉｏｎ  ＡＤＶｅｒｔｉｓｅｍｅｎｔ）メッセージを通じて端末にブロードキャストされ、よって、端末は、サービング基地局にＳＩＩ−ＡＤＶメッセージを転送する旨を要請することによって異種ネットワーク基地局に関する情報を獲得することができる。
【０００７】
上述した方法によって隣接基地局の情報を獲得した端末が、ＩＥＥＥ  ８０２．１６ｅネットワークにおいてハンドオーバーを行う手順を、図１を参照してより詳細に説明する。
【０００８】
図１は、ＩＥＥＥ  ８０２．１６システムで行われるハンドオーバー手順の一例を示す図である。
【０００９】
図１を参照すると、まず、端末（ＭＳ）は、サービング基地局（ＳＢＳ）に接続してデータ交換を行うことができる（Ｓ１０１）。
【００１０】
サービング基地局は周期的に、自身の隣接基地局に関する情報をＭＯＢ＿ＮＢＲ−ＡＤＶメッセージを通じて端末にブロードキャストすることができる（Ｓ１０２）。
【００１１】
端末は、サービング基地局と交信しながらハンドオーバートリガー（ＨＯ  ｔｒｉｇｇｅｒ）条件を用いて候補基地局（ｃａｎｄｉｄａｔｅ  ＨＯ  ＢＳ）へのスキャンを始めることができる。端末は、ハンドオーバー条件、例えば、所定の履歴マージン（Ｈｙｓｔｅｒｉｓｉｓ  ｍａｒｇｉｎ）値を超えるとハンドオーバー要請（ＭＯＢ＿ＭＳＨＯ−ＲＥＱ）メッセージを転送し、サービング基地局にハンドオーバー手順を行う旨を要請することができる（Ｓ１０３）。
【００１２】
サービング基地局は、ＭＯＢ＿ＭＳＨＯ−ＲＥＱメッセージに含まれている候補基地局（ｃａｎｄｉｄａｔｅ  ＨＯ  ＢＳ）にＨＯ−ＲＥＱメッセージを通じて端末のハンドオーバー要請を知らせることができる（Ｓ１０４）。
【００１３】
候補基地局（Ｃａｎｄｉｄａｔｅ  ＨＯ  ＢＳ）は、ハンドオーバーを要請した端末のための事前措置を取って、ハンドオーバーに関連した情報を、ＨＯ−ＲＳＰメッセージを通じてサービング基地局に伝達することができる（Ｓ１０５）。
【００１４】
サービング基地局は、候補基地局からＨＯ−ＲＳＰメッセージを通じて獲得したハンドオーバーに関連した情報を、ハンドオーバー応答（ＭＯＢ＿ＢＳＨＯ−ＲＳＰ）メッセージを通じて端末に伝達することができる。このＭＯＢ＿ＢＳＨＯ−ＲＳＰメッセージには、ハンドオーバーのための動作時間（Ａｃｔｉｏｎ  Ｔｉｍｅ）、ハンドオーバー識別子（ＨＯ−ＩＤ）及び専用ハンドオーバーＣＤＭＡレンジングコード（Ｄｅｄｉｃａｔｅｄ  ＨＯ  ＣＤＭＡ  ｒａｎｇｉｎｇ  ｃｏｄｅ）などのハンドオーバーを行うための情報を含むことができる（Ｓ１０６）。
【００１５】
端末は、サービング基地局から受信したＭＯＢ＿ＢＳＨＯ−ＲＳＰメッセージに含まれた情報に基づき、候補基地局から一つのターゲット基地局を決定することができる。そのため、端末は、決定されたターゲット基地局にＣＤＭＡコードを転送してレンジングを試みることができる（Ｓ１０７）。
【００１６】
ＣＤＭＡコードを受信したターゲット基地局は、レンジング応答（ＲＮＧ−ＲＳＰ）メッセージを通じて、レンジングに成功した否か及び物理補正値を端末に転送することができる（Ｓ１０８）。
【００１７】
次いで、端末は、ターゲット基地局に、認証のためのレンジング要請（ＲＮＧ−ＲＥＱ）メッセージを転送することができる（Ｓ１０９）。
【００１８】
端末のレンジング要請メッセージを受信したターゲット基地局は、ＣＩＤ（Ｃｏｎｎｅｃｔｉｏｎ  ＩＤｅｎｔｉｆｉｅｒ）のような当該基地局で使用可能なシステム情報などを、レンジング応答メッセージを通じて端末に提供することができる（Ｓ１１０）。
【００１９】
ターゲット基地局は、端末の認証に成功し、アップデート情報を全て送ると、端末のサービング基地局に、ハンドオーバー完了メッセージ（ＨＯ−ＣＭＰＴ）を通じて、ハンドオーバーに成功したか否かを知らせることができる（Ｓ１１１）。
【００２０】
以降、端末は、ハンドオーバーしたターゲット基地局と情報交換を行うことができる（Ｓ１１２）。
【００２１】
しかしながら、専用レンジングコードが用いられる場合に、競合ベースのレンジングと違い、コード衝突の心配はないが、レンジングに失敗すると競合ベースのレンジングを再び行わねばならず、余分の遅延時間が発生することがある。また、専用レンジング機会を端末に追加的に割り当てる場合に、これを端末に伝達する効率的な方法も要求される。
【発明の概要】
【発明が解決しようとする課題】
【００２２】
本発明は上記の点に鑑みてなされたもので、その目的は、端末がより効率的にターゲット基地局にハンドオーバーを行う方法及びその装置を提供することにある。
【００２３】
本発明の他の目的は、效率的に端末に追加的レンジング機会を割り当てる方法及びこれを用いてハンドオーバーを行える装置を提供することにある。
【００２４】
本発明のさらに他の目的は、専用レンジングコードをより效率的に用いることができるハンドオーバー方法及びその装置を提供することにある。
【００２５】
本発明で達成しようとする技術的課題は、以上に言及した技術的課題に制限されず、言及していない他の技術的課題は、下の記載から、本発明の属する技術の分野における通常の知識を有する者には明確に理解されるであろう。
【課題を解決するための手段】
【００２６】
上記の一般の技術の問題点を解決するために、本発明の一実施例に係る広帯域無線接続システムにおいて端末がハンドオーバーを行う方法は、ターゲット基地局で、前記端末のための追加的レンジング機会（ａｄｄｉｔｉｏｎａｌ  ｒａｎｇｉｎｇ  ｏｐｐｏｒｔｕｎｉｔｙ）が割り当てられるサブフレームを指示する第１インデックス情報、及び前記追加的レンジング機会が割り当てられるフレームを指示する第２インデックス情報のうち少なくとも一つを含む第１メッセージをサービング基地局から受信すること、及び前記第１インデックス情報及び第２インデックスが指示する前記追加的レンジング機会を通じてレンジングコードを前記ターゲット基地局に転送することを含むことができる。
【００２７】
ここで、前記第１メッセージは、動作時間フィールドをさらに含み、前記動作時間フィールドが指示する時点に、前記ターゲット基地局からシステム設定情報の含まれているスーパーフレームヘッダー（ＳＦＨ）またはにＡ−ＭＡＰを受信することをさらに含むことができる。
【００２８】
また、前記Ａ−ＭＡＰは、前記追加的レンジング機会が割り当てられる時点に関する情報を含むことができる。
【００２９】
また、前記第２インデックス情報は、前記スーパーフレームヘッダーが転送されるスーパーフレームにおいて前記追加的レンジング機会が割り当てられるフレームを指示するインデックスでよい。
【００３０】
なお、前記第１メッセージは、ハンドオーバー命令（ＡＡＩ＿ＨＯ−ＣＭＤ）メッセージでよい。
【００３１】
上記の一般の技術の問題点を解決するために、広帯域無線接続システムにおいてターゲット基地局が端末のハンドオーバーを支援する方法は、前記端末のための追加的レンジング機会（ａｄｄｉｔｉｏｎａｌ  ｒａｎｇｉｎｇ  ｏｐｐｏｒｔｕｎｉｔｙ）が割り当てられるサブフレームを指示する第１インデックス情報、及び前記追加的レンジング機会が割り当てられるフレームを指示する第２インデックス情報のうち少なくとも一つを含むハンドオーバー応答メッセージを、サービング基地局に転送すること、及び前記第１インデックス情報及び第２インデックスが指示する前記追加的レンジング機会を通じてレンジングコードを前記端末から受信することを含むことができる。
【００３２】
ここで、前記ハンドオーバー応答メッセージは、動作時間情報をさらに含み、前記動作時間情報が指示する時点に、システム設定情報の含まれているスーパーフレームヘッダー（ＳＦＨ）またはにＡ−ＭＡＰを放送することをさらに含むことができる。
【００３３】
また、前記Ａ−ＭＡＰは、前記追加的レンジング機会が割り当てられる時点に関する情報を含むことができる。
【００３４】
なお、前記第２インデックス情報は、前記スーパーフレームヘッダーが転送されるスーパーフレームにおいて前記追加的レンジング機会が割り当てられるフレームを指示するインデックスでよい。
【００３５】
上記の一般の技術の問題点を解決するために、広帯域無線接続システムにおいて動作する移動端末機は、プロセッサと、前記プロセッサの制御によって外部と無線信号を送受信するための無線通信（ＲＦ）モジュールと、を備え、前記プロセッサは、前記無線通信モジュールを制御して、ターゲット基地局で、前記移動端末機のための追加的レンジング機会（ａｄｄｉｔｉｏｎａｌ  ｒａｎｇｉｎｇ  ｏｐｐｏｒｔｕｎｉｔｙ）が割り当てられるサブフレームを指示する第１インデックス情報、及び前記追加的レンジング機会が割り当てられるフレームを指示する第２インデックス情報のうち少なくとも一つを含む第１メッセージが、サービング基地局から受信されるようにし、前記第１インデックス情報及び第２インデックスが指示する前記追加的レンジング機会を通じてレンジングコードを前記ターゲット基地局に転送するようにすることができる。
【００３６】
ここで、前記第１メッセージは、動作時間フィールドをさらに含み、前記プロセッサは、
前記動作時間フィールドが指示する時点に、前記ターゲット基地局からシステム設定情報の含まれているスーパーフレームヘッダー（ＳＦＨ）またはＡ−ＭＡＰを受信するように制御することができる。
【００３７】
また、前記Ａ−ＭＡＰは、前記追加的レンジング機会が割り当てられる時点に関する情報を含むことができる。
【００３８】
また、前記第２インデックス情報は、前記スーパーフレームヘッダーが転送されるスーパーフレームにおいて前記追加的レンジング機会が割り当てられるフレームを指示するインデックスでよい。
【００３９】
なお、前記第１メッセージは、ハンドオーバー命令（ＡＡＩ＿ＨＯ−ＣＭＤ）メッセージでよい。
【００４０】
上記の一般の技術の問題点を解決するために、広帯域無線接続システムにおいて動作する移動端末機は、プロセッサと、前記プロセッサの制御によって外部と無線信号を送受信するための無線通信（ＲＦ）モジュールと、を備え、前記プロセッサは、前記無線通信モジュールを制御して、専用レンジングコード（ｄｅｄｉｃａｔｅｄ  ＣＤＭＡ  ｒａｎｇｉｎｇ  ｃｏｄｅ）及び動作時間情報をサービング基地局からハンドオーバー命令（ＡＡＩ＿ＨＯ−ＣＭＤ）メッセージを通じて獲得し、前記動作時間情報が指示する時点に、前記専用レンジングコードをターゲット基地局に転送し、前記コードに対する応答メッセージの状態（ｓｔａｔｕｓ）、及び前記専用レンジングコードの再使用されるか否かを指示する再使用指示子の値によって、前記専用レンジングコードを用いてレンジングを再び行うか否かを決定することができる。
【００４１】
ここで、前記応答メッセージの状態が「ｃｏｎｔｉｎｕｅ」の場合に、前記プロセッサは、前記再使用指示子が「１」に設定されていると、前記専用レンジングコードを用いたレンジングを再び行い、前記再使用指示子が「０」に設定されていると、ランダムに選択されたレンジングコードを用いてレンジングを行うように制御することができる。
本発明は、例えば以下の項目を提供する。
（項目１）
広帯域無線接続システムにおいて端末がハンドオーバーを行う方法であって、
ターゲット基地局で、前記端末のための追加的レンジング機会（ａｄｄｉｔｉｏｎａｌ
ｒａｎｇｉｎｇ  ｏｐｐｏｒｔｕｎｉｔｙ）が割り当てられるサブフレームを指示する第１インデックス情報、及び前記追加的レンジング機会が割り当てられるフレームを指示する第２インデックス情報のうち少なくとも一つを含む第１メッセージをサービング基地局から受信し、
前記第１インデックス情報及び第２インデックスが指示する前記追加的レンジング機会を通じてレンジングコードを前記ターゲット基地局に転送すること、
を含む、ハンドオーバー実行方法。
（項目２）
前記第１メッセージは、動作時間フィールドをさらに含み、
前記動作時間フィールドが指示する時点に、前記ターゲット基地局からシステム設定情報の含まれているスーパーフレームヘッダー（ＳＦＨ）またはにＡ−ＭＡＰを受信することをさらに含む、項目１に記載のハンドオーバー実行方法。
（項目３）
前記Ａ−ＭＡＰは、前記追加的レンジング機会が割り当てられる時点に関する情報を含む、項目２に記載のハンドオーバー実行方法。
（項目４）
前記第２インデックス情報は、前記スーパーフレームヘッダーが転送されるスーパーフレームにおいて前記追加的レンジング機会が割り当てられるフレームを指示するインデックスである、項目２に記載のハンドオーバー実行方法。
（項目５）
前記第１メッセージは、ハンドオーバー命令（ＡＡＩ＿ＨＯ−ＣＭＤ）メッセージである、項目１に記載のハンドオーバー実行方法。
（項目６）
広帯域無線接続システムにおいてターゲット基地局が端末のハンドオーバーを支援する方法であって、
前記端末のための追加的レンジング機会（ａｄｄｉｔｉｏｎａｌ  ｒａｎｇｉｎｇ  ｏｐｐｏｒｔｕｎｉｔｙ）が割り当てられるサブフレームを指示する第１インデックス情報、及び前記追加的レンジング機会が割り当てられるフレームを指示する第２インデックス情報のうち少なくとも一つを含むハンドオーバー応答メッセージを、サービング基地局に転送し、
前記第１インデックス情報及び第２インデックスが指示する前記追加的レンジング機会を通じてレンジングコードを前記端末から受信すること、
を含む、ハンドオーバー支援方法。
（項目７）
前記ハンドオーバー応答メッセージは、動作時間情報をさらに含み、
前記動作時間情報が指示する時点に、システム設定情報の含まれているスーパーフレームヘッダー（ＳＦＨ）またはにＡ−ＭＡＰを放送することをさらに含む、項目６に記載のハンドオーバー支援方法。
（項目８）
前記Ａ−ＭＡＰは、前記追加的レンジング機会が割り当てられる時点に関する情報を含む、項目７に記載のハンドオーバー支援方法。
（項目９）
前記第２インデックス情報は、前記スーパーフレームヘッダーが転送されるスーパーフレームにおいて前記追加的レンジング機会が割り当てられるフレームを指示するインデックスである、項目７に記載のハンドオーバー支援方法。
（項目１０）
広帯域無線接続システムにおいて動作する移動端末機であって、
プロセッサと、
前記プロセッサの制御によって外部と無線信号を送受信するための無線通信（ＲＦ）モジュールと、
を備え、
前記プロセッサは、
前記無線通信モジュールを制御して、ターゲット基地局で、前記移動端末機のための追加的レンジング機会（ａｄｄｉｔｉｏｎａｌ  ｒａｎｇｉｎｇ  ｏｐｐｏｒｔｕｎｉｔｙ）が割り当てられるサブフレームを指示する第１インデックス情報、及び前記追加的レンジング機会が割り当てられるフレームを指示する第２インデックス情報のうち少なくとも一つを含む第１メッセージが、サービング基地局から受信されるようにし、前記第１インデックス情報及び第２インデックスが指示する前記追加的レンジング機会を通じてレンジングコードを前記ターゲット基地局に転送するようにする、移動端末機。
（項目１１）
前記第１メッセージは、動作時間フィールドをさらに含み、
前記プロセッサは、
前記動作時間フィールドが指示する時点に、前記ターゲット基地局からシステム設定情報の含まれているスーパーフレームヘッダー（ＳＦＨ）またはＡ−ＭＡＰを受信するように制御する、項目１０に記載の移動端末機。
（項目１２）
前記Ａ−ＭＡＰは、前記追加的レンジング機会が割り当てられる時点に関する情報を含む、項目１１に記載の移動端末機。
（項目１３）
前記第２インデックス情報は、前記スーパーフレームヘッダーが転送されるスーパーフレームにおいて前記追加的レンジング機会が割り当てられるフレームを指示するインデックスである、項目１１に記載の移動端末機。
（項目１４）
前記第１メッセージは、ハンドオーバー命令（ＡＡＩ＿ＨＯ−ＣＭＤ）メッセージである、項目１０に記載の移動端末機。
（項目１５）
広帯域無線接続システムにおいて動作する移動端末機であって、
プロセッサと、
前記プロセッサの制御によって外部と無線信号を送受信するための無線通信（ＲＦ）モジュールと、
を備え、
前記プロセッサは、
前記無線通信モジュールを制御して、専用レンジングコード（ｄｅｄｉｃａｔｅｄ  ＣＤＭＡ  ｒａｎｇｉｎｇ  ｃｏｄｅ）及び動作時間情報をサービング基地局からハンドオーバー命令（ＡＡＩ＿ＨＯ−ＣＭＤ）メッセージを通じて獲得し、前記動作時間情報が指示する時点に、前記専用レンジングコードをターゲット基地局に転送し、前記コードに対する応答メッセージの状態（ｓｔａｔｕｓ）、及び前記専用レンジングコードの再使用されるか否かを指示する再使用指示子の値によって、前記専用レンジングコードを用いてレンジングを再び行うか否かを決定する、移動端末機。
（項目１６）
前記応答メッセージの状態が「ｃｏｎｔｉｎｕｅ」の場合に、
前記プロセッサは、
前記再使用指示子が「１」に設定されていると、前記専用レンジングコードを用いたレンジングを再び行い、前記再使用指示子が「０」に設定されていると、ランダムに選択されたレンジングコードを用いてレンジングを行うように制御する、項目１５に記載の移動端末機。
【発明の効果】
【００４２】
本発明の実施例によれば、下記のような効果が得られる。
【００４３】
第一に、本発明の実施例によれば、端末はより効率的にハンドオーバーを行うことができる。
【００４４】
第二に、本発明の実施例に開示された追加的レンジング機会割当方法によれば、端末は、ターゲット基地局の情報を先に獲得してレンジングを試みたり、ターゲット基地局から追加的な情報の受信にかかわらずに割り当てられた追加的レンジング機会に関する情報を用いてレンジングを行うことができる。
【００４５】
第三に、本発明の実施例に開示された専用レンジングコードの再使用方法によれば、端末は、専用レンジングコードを用いた最初のレンジングに失敗しても、専用コード再使用指示子に基づいて既存の専用レンジングコードでレンジングを再び行うことができる。
【００４６】
本発明で得られる効果は、以上に言及した効果に制限されず、言及していない他の効果は、下の記載から、本発明の属する技術の分野における通常の知識を有する者であれば明確に理解されるであろう。
【図面の簡単な説明】
【００４７】
【図１】一般のＩＥＥＥ  ８０２．１６ｅシステムで行われるハンドオーバー手順の一例を示す図である。
【図２】一般のＩＥＥＥ  ８０２．１６ｍシステムで行われるハンドオーバー手順の一例を示す図である。
【図３】一般の追加的レンジング機会割当方法で生じる問題点の一例を示す図である。
【図４】一般の専用レンジングコードを用いたハンドオーバー手順で生じる問題点の一例を示す図である。
【図５】本発明の一実施例に係る追加的レンジング機会割当方法の一例を示す図である。
【図６】本発明の一実施例に係る追加的レンジング機会割当方法の他の例を示す図である。
【図７】本発明の一実施例に係る追加的レンジング機会割当方法のさらに他の例を示す図である。
【図８】本発明の他の実施例として、送信端及び受信端の構造の一例を示すブロック図である。
【発明を実施するための形態】
【００４８】
以下、本発明の好適な実施例は、効率的で信頼できるハンドオーバー方法及び装置を開示する。
【００４９】
以下の実施例は、本発明の構成要素及び特徴を所定の形態で結合したものである。各構成要素または特徴は、別に明示しない限り、選択的なものと考慮しなければならない。各構成要素または特徴が他の構成要素や特徴と結合しない形態で実施してもよく、一部の構成要素及び／または特徴を結合させて本発明の実施例を構成してもよい。本発明の実施例で説明される動作の順序は変更してもよい。ある実施例の一部構成や特徴は、他の実施例に含まれてもよく、他の実施例の対応する構成または特徴に代えてもよい。
【００５０】
図面に関する説明において、本発明の要旨を曖昧にさせるような手順または段階などは省き、さらに当業者のレベルで理解できるような手順または段階も省いた。
【００５１】
本明細書では、本発明の実施例を、基地局と端末との間におけるデータ送受信の関係を中心に説明した。ここで、基地局は、端末と通信を直接行うネットワークの終端ノード（ｔｅｒｍｉｎａｌ  ｎｏｄｅ）としての意味を有する。本文書で、基地局により行われるとした特定動作は、場合によっては、基地局の上位ノード（ｕｐｐｅｒ  ｎｏｄｅ）により行われることもある。
【００５２】
すなわち、基地局を含む多数のネットワークノード（ｎｅｔｗｏｒｋ  ｎｏｄｅｓ）からなるネットワークにおいて、端末との通信のために行われる種々の動作は、基地局または基地局以外の他のネットワークノードにより行われうるということは自明である。ここで、「基地局」は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ＡＰ：Ａｃｃｅｓｓ  Ｐｏｉｎｔ）などの用語に代えてもよい。また、「移動端末（ＭＳ：Ｍｏｂｉｌｅ  Ｓｔａｔｉｏｎ）」は、ＵＥ（Ｕｓｅｒ  Ｅｑｕｉｐｍｅｎｔ）、ＳＳ（Ｓｕｂｓｃｒｉｂｅｒ  Ｓｔａｔｉｏｎ）、ＭＳＳ（Ｍｏｂｉｌｅ  Ｓｕｂｓｃｒｉｂｅｒ  Ｓｔａｔｉｏｎ）または端末（Ｍｏｂｉｌｅ  Ｔｅｒｍｉｎａｌ）などの用語に代えてもよい。
【００５３】
また、送信端は、データまたは音声サービスを転送するノードを指し、受信端は、データまたは音声サービスを受信するノードを指す。そのため、アップリンクでは、端末が送信端になり、基地局が受信端になりうる。同様に、ダウンリンクでは、端末が受信端になり、基地局が送信端になりうる。
【００５４】
一方、本発明の移動端末には、ＰＤＡ（Ｐｅｒｓｏｎａｌ  Ｄｉｇｉｔａｌ  Ａｓｓｉｓｔａｎｔ）、セルラーフォン、ＰＣＳ（Ｐｅｒｓｏｎａｌ  Ｃｏｍｍｕｎｉｃａｔｉｏｎ  Ｓｅｒｖｉｃｅ）フォン、ＧＳＭ（登録商標）（Ｇｌｏｂａｌ  Ｓｙｓｔｅｍ  ｆｏｒ  Ｍｏｂｉｌｅ）フォン、ＷＣＤＭＡ（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォンなどを用いることができる。
【００５５】
本発明の実施例は、様々な手段により具現することができる。例えば、本発明の実施例は、ハードウェア、ファームウェア（ｆｉｒｍｗａｒｅ）、ソフトウェアまたはそれらの結合などにより具現することができる。
【００５６】
ハードウェアによる具現の場合、本発明の実施例に係る方法は、一つまたはそれ以上のＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰｓ（Ｄｉｇｉｔａｌ  Ｓｉｇｎａｌ  Ｐｒｏｃｅｓｓｏｒｓ）、ＤＳＰＤｓ（Ｄｉｇｉｔａｌ  Ｓｉｇｎａｌ  Ｐｒｏｃｅｓｓｉｎｇ  Ｄｅｖｉｃｅｓ）、ＰＬＤｓ（Ｐｒｏｇｒａｍｍａｂｌｅ  Ｌｏｇｉｃ  Ｄｅｖｉｃｅｓ）、ＦＰＧＡｓ（Ｆｉｅｌｄ  Ｐｒｏｇｒａｍｍａｂｌｅ  Ｇａｔｅ  Ａｒｒａｙｓ）、プロセッサ、コントローラ、マイクロコントローラ、マイクロプロセッサなどにより具現することができる。
【００５７】
ファームウェアやソフトウェアによる具現の場合、本発明の実施例に係る方法は、以上で説明された機能または動作を行うモジュール、手順または関数などの形態とすることができる。ソフトウェアコードはメモリーユニットに記憶し、プロセッサで駆動することができる。メモリーユニットは、プロセッサの内部または外部に設けられて、既に公知の様々な手段によりプロセッサとデータを授受することができる。
【００５８】
本発明の実施例は、無線接続システムであるＩＥＥＥ  ８０２システム、３ＧＰＰシステム、３ＧＰＰ  ＬＴＥシステム及び３ＧＰＰ２システムの少なくとも一つに開示されている標準文書でサポートできる。すなわち、本発明の実施例において、本発明の技術的思想を明確にするために説明を省略した段階または部分は、上記の文書でサポートできる。また、本文書で開示している用語はいずれも、上記の標準文書により説明することができる。特に、本発明の実施例は、ＩＥＥＥ  ８０２．１６システムの標準文書であるＰ８０２．１６−２００４、Ｐ８０２．１６ｅ−２００５及びＰ８０２．１６Ｒｅｖ２文書の少なくとも一つでサーボートできる。
【００５９】
以下の説明で使われる特定用語は、本発明の理解を助けるために提供されているもので、これらの特定用語の使用は、本発明の技術的思想から逸脱しない範囲で他の形態に変更可能である。
【００６０】
本明細書は、ＩＥＥＥ  ８０２．１６システムを取り上げて説明する。特に、以下に登場する端末は、ＩＥＥＥ  ８０２．１６ｍ標準で定義する規格を満たすＡＭＳ（Ａｄｖａｎｃｅｄ  Ｍｏｂｉｌｅ  Ｓｔａｔｉｏｎ）で、基地局は、同標準規格のＡＢＳ（Ａｄｖａｎｃｅｄ  Ｂａｓｅ  Ｓｔａｔｉｏｎ）であるとする。
【００６１】
以下では、ＩＥＥＥ  ８０２．１６ｍ規格（ＷｉｒｅｌｅｓｓＭＡＮ−ＯＦＤＭＡ  Ａｄｖａｎｃｅｄ  ｓｙｓｔｅｍ）に従う端末及び基地局が行うハンドオーバー手順について説明する。
【００６２】
現在、ＩＥＥＥ  ８０２．１６ｍ標準ではハンドオーバーをＨＯ  ｄｅｃｉｓｉｏｎ  ａｎｄ  Ｉｎｉｔｉａｔｉｏｎ、ＨＯ  ｐｒｅｐａｒａｔｉｏｎ、及びＨＯ  Ｅｘｅｃｕｔｉｏｎのように３つの手順に大別して定義している。これら３つの手順を行う前に、端末が周辺基地局に関する情報を獲得（すなわち、ｓｃａｎｎｉｎｇ）する手順が必要である。このようなスキャニング手順は、一般のＩＥＥＥ  ８０２．１６ｅネットワークにおけるスキャニング手順と略同様であり、ただし、端末がサービングＡＢＳと交信しない区間がある場合に、当該区間で周辺基地局へのスキャニングを行うことができる。
【００６３】
ＨＯ  ｄｅｃｉｓｉｏｎ  ａｎｄ  Ｉｎｉｔｉａｔｉｏｎ手順では、ハンドオーバーを開始する主体によって、ハンドオーバーを、端末開始ハンドオーバー（ＡＭＳ  ｉｎｉｔｉａｔｅｄ  ＨＯ）と基地局開始ハンドオーバー（ＡＢＳ  ｉｎｉｔｉａｔｅｄ  ＨＯ）とに区別することができる。また、ＨＯ  ｅｘｅｃｕｔｉｏｎ手順は、動作時間（ａｃｔｉｏｎ  ｔｉｍｅ）に合わせてターゲットＡＢＳにネットワーク再進入（ｎｅｔｗｏｒｋ  ｒｅ−ｅｎｔｒｙ）を行う段階である。
【００６４】
上述したハンドオーバー手順を、図２を参照してより詳細に説明する。
【００６５】
図２は、一般のＩＥＥＥ  ８０２．１６ｍシステムで行われるハンドオーバー手順の一例を示す図である。
【００６６】
図２を参照すると、端末は、ハンドオーバーを開始するために、サービングＡＢＳにハンドオーバー要請（ＡＡＩ＿ＨＯ−ＲＥＱ）メッセージを転送することができる（Ｓ２０１）。
【００６７】
サービングＡＢＳは、ターゲットＡＢＳと情報を交換しながら、後のＨＯ  ｅｘｅｃｕｔｉｏｎ手順に関する条件及び端末に割り当てるリソース（ｄｅｄｉｃａｔｅｄ  ｒａｎｇｉｎｇ  ｃｏｄｅ、ＳＴＩＤ、ｓｅｃｕｒｉｔｙ  ｐａｒａｍｅｔｅｒｓ  ｅｔｃ）を交渉する（Ｓ２０２、Ｓ２０３）。
【００６８】
サービングＡＢＳは、交渉により獲得したターゲットＡＢＳの情報を、ハンドオーバー命令（ＡＡＩ＿ＨＯ−ＣＭＤ）メッセージを通じて端末に転送することができる（Ｓ２０４）。
【００６９】
この時、ＡＡＩ＿ＨＯ−ＣＭＤメッセージには動作時間（ａｃｔｉｏｎ  ｔｉｍｅ）及び接続解除時間（ｄｉｓｃｏｎｎｅｃｔ  ｔｉｍｅ）が含まれて転送される。動作時間は、端末がネットワーク再進入を行う時間を、接続解除時間は、サービングＡＢＳが端末へのアップリンク／ダウンリンクリソース割当を止める時間をそれぞれ意味する。
【００７０】
ＨＯ  ｐｒｅｐａｒａｔｉｏｎ手順の後に、端末は条件的にハンドオーバー指示（ＡＡＩ−ＨＯ−ＩＮＤ）メッセージを転送することができる（Ｓ２０５）。
【００７１】
ハンドオーバー指示を転送する条件の例には、１）端末が、サービングＡＢＳにより定められた所定条件に基づいてＨＯを取り消したい場合、２）ハンドオーバー命令メッセージに複数のターゲット基地局に関する情報が含まれて転送された場合、等を挙げることができる。
【００７２】
上述したように、ＨＯ  ｅｘｅｃｕｔｉｏｎ手順では、端末が動作時間に合わせてターゲットＡＢＳにネットワーク再進入を行う（Ｓ２０６）。
【００７３】
この時、端末は、ＣＤＭＡレンジングまたはＡＡＩ＿ＲＮＧ−ＲＥＱメッセージを通じてネットワーク再進入を行うことができる。端末がＥＢＢ（Ｅｎｔｒｙ  Ｂｅｆｏｒｅ  Ｂｒａｋｅ）を行う場合に、定められた可能区間（ＡＩ：ａｖａｉｌａｂｌｅ  ｉｎｔｅｒｖａｌ）にサービングＡＢＳと持続して情報交換を行うことができ、不可区間（ＵＡＩ：ｕｎａｖａｉｌａｂｌｅ  ｉｎｔｅｒｖａｌ（ＵＡＩ））にターゲットＡＢＳへのネットワーク再進入手順を行う（Ｓ２０７）。万一、端末がＢＢＥ（Ｂｒｅａｋ  Ｂｅｆｏｒｅ  Ｅｎｔｒｙ）を行う場合は、ＡＩまたはＵＡＩは定められず、一般のＩＥＥＥ  ８０２．１６ｅネットワークのハードハンドオーバー（Ｈａｒｄ  Ｈａｎｄｏｖｅｒ）と同じ手順となる。
【００７４】
端末のネットワーク再進入手順が完了すると、ターゲットＡＢＳはサービングＡＢＳにハンドオーバー終了（ＨＯ  ＣＯＭＰＬＴ）を知らせることができ、端末と基地局とはハンドオーバー手順を終え、正常にデータ交換を行うことができる（Ｓ２０８、Ｓ２０９）。
【００７５】
上述のハンドオーバー手順は、端末が開始するハンドオーバー（ＡＭＳ  ｉｎｉｔｉａｔｅｄ  ＨＯ）過程を示しているが、基地局により開始されるハンドオーバー（ＡＢＳ  ｉｎｉｔｉａｔｅｄ  ＨＯ）は、図２でＳ２０１過程が省かれた形態とすればよい。
【００７６】
一方、端末はターゲットＡＢＳにハンドオーバーを行う場合に、下記３つの方法のいずれかによりＨＯ  ｅｘｅｃｕｔｉｏｎを行うことができる。
【００７７】
１．高速レンジング（Ｆａｓｔ  ｒａｎｇｉｎｇ）：ハンドオーバーＣＤＭＡコードレンジング（ＨＯ  ＣＤＭＡ  ｃｏｄｅ  ｒａｎｇｉｎｇ）を省き、媒体接続制御レンジング（ＭＡＣ  ｒａｎｇｉｎｇ、すなわち、ＡＡＩ＿ＲＮＧ−ＲＥＱ／ＲＳＰメッセージ交換）を直接行う。
【００７８】
２．競合ベースＣＤＭＡコードレンジング（Ｃｏｎｔｅｎｔｉｏｎ  ｂａｓｅｄ  ＣＤＭＡ  ｃｏｄｅ  ｒａｎｇｉｎｇ）：基地局のレンジング領域にランダムに選択されたＣＤＭＡコードを転送する方式のレンジングを通じてネットワーク再進入を行う。
【００７９】
３．専用ＣＤＭＡコードレンジング（Ｄｅｄｉｃａｔｅｄ  ＣＤＭＡ  ｃｏｄｅ  ｒａｎｇｉｎｇ）：ハンドオーバー命令メッセージを通じて該当の端末に専用に割り当てられたＣＤＭＡコードを用いたレンジングによりネットワーク再進入を行う。
【００８０】
ここで、１．方法は、ＣＤＭＡレンジング手順が省かれ、ターゲットＡＢＳとアップリンク同期が合わせられているとの仮定の下にターゲットＡＢＳへのネットワーク再進入を行う。
【００８１】
２．及び３．方法は、両方とも、端末がターゲット基地局とアップリンク同期を合わせるためにＣＤＭＡレンジングを行うが、コードまたはレンジング機会（ｒａｎｇｉｎｇ  ｏｐｐｏｒｔｕｎｉｔｙ）が専用に割り当てられるか、それとも競合（ｃｏｎｔｅｎｔｉｏｎ）ベースに行うかによって区別される。
【００８２】
以下では、上述したハンドオーバー手順で生じうる問題点について説明する。
【００８３】
追加的レンジング機会
特定基地局において多くの端末が集まっている場合に、ＨＯのためのＣＤＭＡコードレンジング時にコード衝突（ｃｏｄｅ  ｃｏｌｌｉｓｉｏｎ）が多発する。このような問題点を克服するために、ターゲット基地局は、追加的なＣＤＭＡレンジング機会（ｒａｎｇｉｎｇ  ｏｐｐｏｒｔｕｎｉｔｙ）を端末に割り当てることができる。
【００８４】
すなわち、既存のＣＤＭＡコードレンジングに加えて、レンジング機会を端末にさらに知らせる方法であり、このような追加的レンジング機会は、Ａ−ＭＡＰまたはスーパーフレームヘッダー（ＳＦＨ）を通じて端末に放送することができる。
【００８５】
さらにいうと、追加的レンジング機会をインデックス形態で示した情報（すなわち、ｏｐｐｏｒｔｕｎｉｔｙ  ｉｎｄｅｘ）がハンドオーバー命令（ＡＡＩ＿ＨＯ−ＣＭＤ）メッセージを通じて端末に転送され、端末は、ターゲット基地局のＳＦＨまたはＡ−ＭＡＰから受信したインデックスを参照して追加的レンジング機会を判断できる。しかしながら、このような方法は、端末がターゲット基地局のＳＦＨまたはＡ−ＭＡＰの受信に失敗した場合には用いることができないという問題点がある。これを、図３を参照して説明する。
【００８６】
図３は、一般の追加的レンジング機会割当方法において生じる問題点の一例を示す図である。
【００８７】
図３において、Ｓ３０１過程乃至Ｓ３０５過程は、図２におけるＳ２０１過程乃至Ｓ２０４過程と同様であり、重複する説明は省略する。ただし、Ｓ３０５過程で、ハンドオーバー命令（ＡＡＩ＿ＨＯ−ＣＭＤ）メッセージに、追加的レンジング機会の位置を指示するインデックス（ｏｐｐｏｒｔｕｎｉｔｙ  ｉｎｄｅｘ）がさらに含まれる。
【００８８】
その後、端末は、動作時間（ａｃｔｉｏｎ  ｔｉｍｅ）情報が指示する時点で、追加的レンジング機会情報を含むＡ−ＭＡＰをターゲット基地局から受信しようとするが、悪いチャネル状況などの理由からＡ−ＭＡＰの受信に失敗することがある（Ｓ３０６）。
【００８９】
端末は、Ａ−ＭＡＰの受信に失敗すると、インデックスのみでは追加的レンジング機会がわからず、いかなるレンジング領域にＣＤＭＡレンジングコードを転送すればよいのか曖昧になってしまう（Ｓ３０７）。
【００９０】
以降の過程は、一般のＣＤＭＡコードを用いたハンドオーバー過程に類似しているので、詳細な説明は省略する。
【００９１】
図３に示すように、端末がＡＡＩ＿ＨＯ−ＣＭＤメッセージを通じて追加的レンジング機会に対するインデックスを獲得しても、ターゲット基地局のＳＦＨまたはＡ−ＭＡＰの受信に失敗すると、自身に割り当てられた追加的レンジング機会がわからないという問題点がある。
【００９２】
専用レンジングコードの問題点
以下では、専用レンジングコード（Ｄｅｄｉｃａｔｅｄ  ｒａｎｇｉｎｇ  ｃｏｄｅ）を使用するハンドオーバー手順の問題点について説明する。
【００９３】
まず、ターゲット基地局が、ハンドオーバーを要請した端末に、ＣＤＭＡコードの不足からコードを専用（ｄｅｄｉｃａｔｅ）に割り当てることができなくなる場合がある。
【００９４】
その後、端末が、割り当てられた専用レンジングコードをターゲット基地局に転送するが、基地局から受信されるレンジング応答メッセージが「成功状態（ｓｕｃｃｅｓｓ  ｓｔａｔｕｓ）」でない場合は、一般のレンジングコードを再転送しなければならず、コード衝突による遅延時間が発生することがある。これを、図４を参照してさらに詳細に説明する。
【００９５】
図４は、一般の専用レンジングコードを用いたハンドオーバー手順において生じうる問題点の一例を示す図である。
【００９６】
図４で、Ｓ４０１過程乃至Ｓ４０５過程は、図２におけるＳ２０１過程乃至Ｓ２０４過程に類似しているので、重複する説明は省略する。ただし、Ｓ４０５過程において、ハンドオーバー命令（ＡＡＩ＿ＨＯ−ＣＭＤ）メッセージに専用レンジングコードがさらに含まれる。
【００９７】
その後、端末は、動作時間情報が指示する時点で、ターゲット基地局へ専用レンジングコードを転送する（Ｓ４０６）。
【００９８】
端末は、それに対する応答として基地局からレンジング応答メッセージを受信するが、レンジングの成功したか否かについて「ｃｏｎｔｉｎｕｅ」状態を示す場合、すなわち、追加的レンジングを必要とする場合は、ＣＤＭＡコードレンジングを再び行わなければならない（Ｓ４０７）。
【００９９】
このような場合、以前に割り当てられた専用コードはそれ以上用いることができず、一般のＣＤＭＡコードレンジングと同様に、ランダムに選択されたコードで競合ベースのレンジングを行わなければならない。そのため、専用コード（ｄｅｄｉｃａｔｅｄ  ｃｏｄｅ）を用いる場合における長所である非競合（ｎｏｎ−ｃｏｎｔｅｎｔｉｏｎ）、すなわち、無衝突（ｃｏｌｌｉｓｉｏｎ  ｆｒｅｅ）を效率的に用いることができなくなる。したがって、ターゲット基地局からランダムに転送したコードに衝突が発生する場合（Ｓ４０８）に、端末は、所定のバックオフタイム後に再びレンジングを試みなければならない（Ｓ４０９）。
【０１００】
以降の手順は、一般のハンドオーバー手順に類似しているため、詳細な説明は省略する。上述したように、「ｃｏｎｔｉｎｕｅ」状態のレンジング応答メッセージが受信される場合の他、レンジング肯定応答（ＡＡＩ＿ＲＮＧ−ＡＣＫ）メッセージやレンジング応答メッセージが特定時間内に受信されない場合にも、端末は、専用レンジングコードを用いることができず、競合ベースの一般的レンジング手順を行わなければならないという問題点がある。
【０１０１】
第１実施例
本発明の一実施例によれば、ターゲット基地局のスーパーフレームヘッダーまたはＡ−ＭＡＰを通じてレンジング機会に関する情報を提供する方法が開示される。
【０１０２】
これは、ブロードキャスト（ｂｒｏａｄｃａｓｔ）方式のものであるため、ハンドオーバーを行う全ての端末に該当し、専用レンジングコードを用いたレンジングまたは競合ベースのレンジングを行う全ての端末に適用可能である。これを、図５を参照して説明する。
【０１０３】
図５は、本発明の一実施例に係る追加的レンジング機会割当方法の一例を示す図である。
【０１０４】
図５で、Ｓ５０１過程乃至Ｓ５０５過程は、図２におけるＳ２０１過程乃至Ｓ２０４過程に類似しているため、重複する説明は省略する。
【０１０５】
端末は、動作時間情報が指示する時点で、ターゲット基地局から、追加的レンジング領域に関する情報を、Ａ−ＭＡＰを通じて受信することができる（Ｓ５０６）。
【０１０６】
そのため、端末は、Ａ−ＭＡＰを通じて獲得したレンジング機会を用いてＣＤＭＡレンジングコードをターゲット基地局に転送することができる（Ｓ５０７）。
【０１０７】
以降の手順は、一般のハンドオーバー手順に類似しているため、詳細な説明は省略する。しかしながら、上述した方法は、図３で提示した問題点を解決するには足りないことがある。
【０１０８】
そこで、本実施例の他の様相として、ハンドオーバー命令メッセージを通じてフレームまたはサブフレーム単位で追加的レンジング機会を端末に割り当てる方法を提案する。
【０１０９】
すなわち、上述した図３におけるような問題点を解決するために、本実施例の他の様相では、サービング基地局が、調整（ｃｏｏｒｄｉｎａｔｉｏｎ）されたハンドオーバーを行う端末に、追加的レンジング機会に関する情報として、インデックスではなく、レンジング機会が発生するサブフレームのインデックスを、ハンドオーバー命令メッセージを通じて割り当てることができる。そのために、一つのサブフレームには一つのレンジング機会が割り当てられ、その位置はサブフレーム内で常に固定していると仮定する。この場合、ターゲット基地局のＳＦＨまたはＡ−ＭＡＰは、図５のように、追加的レンジング機会に関する情報を直接含むこともでき、図３のように、ハンドオーバーコマンドメッセージに含まれるインデックス（ｏｐｐｏｒｔｕｎｉｔｙ  ｉｎｄｅｘ）情報を用いて追加的レンジング機会を端末に知らせることもできる。
【０１１０】
これを、図６を参照して説明する。
【０１１１】
図６は、本発明の一実施例に係る追加的レンジング機会割当方法の他の例を示す図である。
【０１１２】
図６を参照すると、端末は、サービング基地局に接続して正常にデータ交換を行う途中で、ハンドオーバーを行うためにサービング基地局にハンドオーバー要請メッセージを転送する（Ｓ６０１，Ｓ６０２）。
【０１１３】
サービングＡＢＳは、ターゲットＡＢＳと情報を交換しながら、後のＨＯ  ｅｘｅｃｕｔｉｏｎ手順に関する条件、及び端末に割り当てるリソース（ｄｅｄｉｃａｔｅｄ  ｒａｎｇｉｎｇ  ｃｏｄｅ、ＳＴＩＤ、ｓｅｃｕｒｉｔｙ  ｐａｒａｍｅｔｅｒｓなど）を交渉する（Ｓ６０３，Ｓ６０４）。
【０１１４】
この時、端末に割り当てられる追加的レンジング機会も交渉され、これにより、ターゲット基地局から該当の端末のための追加的レンジング機会が割り当てられるサブフレームのインデックス情報がサービング基地局に獲得される。
【０１１５】
追加的レンジング機会が割り当てられるサブフレームのインデックスは、ハンドオーバー命令メッセージを通じてサービング基地局から端末に転送される（Ｓ６０５）。
【０１１６】
そのため、端末は、動作時間情報が指示する時点に、ターゲット基地局からＡ−ＭＡＰを受信できなくても（Ｓ６０６）、ハンドオーバー命令メッセージを通じて受信したサブフレームインデックス情報が指示する追加的レンジング機会を用いて、ＣＤＭＡレンジングコードをターゲット基地局に転送することができる（Ｓ６０７）。
【０１１７】
以降の手順は、一般のハンドオーバー手順に類似しているので、詳細な説明は省略する。
【０１１８】
本実施例のさらに他の様相によれば、動作時間情報が、ターゲット基地局のスーパーフレームヘッダーが転送される時点になるように設定することができる。
【０１１９】
すなわち、端末がターゲット基地局のＳＦＨを先に受信してシステム設定（ｓｙｓｔｅｍ  ｃｏｎｆｉｇｕｒａｔｉｏｎ）に対する状態を確認した後に、正常にレンジングを行うことができる。この時、割り当てられた追加的レンジング機会（ａｄｄｉｔｉｏｎａｌ  ｒａｎｇｉｎｇ  ｏｐｐｏｒｔｕｎｉｔｙ）が、動作時間に転送されるＳＦＨと異なるフレームに存在する場合は、どのフレームで該当のレンジング機会が来るかを示す情報を含まなければならない。そのためには、総４個のフレームが一つのスーパーフレームに存在するので、２ビットでレンジング機会が存在するフレームを指示することができる。このようにレンジング機会を含むフレームの位置を指示するフレームインデックスも、ＡＡＩ＿ＨＯ−ＣＭＤメッセージを通じて端末に転送することができる。フレームインデックスは、ＳＦＨが転送されるフレームとレンジング機会が存在するフレームとが一致する場合には省略してもよい。この方法を、図７を参照して説明する。
【０１２０】
図７は、本発明の一実施例に係る追加的レンジング機会割当方法のさらに他の例を示す図である。
【０１２１】
図７を参照すると、端末は、サービング基地局に接続して正常にデータ交換する途中で、ハンドオーバーを行うためにサービング基地局にハンドオーバー要請メッセージを転送することができる（Ｓ７０１，Ｓ７０２）。
【０１２２】
サービング基地局は、ターゲット基地局と情報を交換しながら、後のＨＯ  ｅｘｅｃｕｔｉｏｎ手順に関する条件、及び端末に割り当てるリソース（ｄｅｄｉｃａｔｅｄ  ｒａｎｇｉｎｇ  ｃｏｄｅ、ＳＴＩＤ、ｓｅｃｕｒｉｔｙ  ｐａｒａｍｅｔｅｒｓなど）を交渉する（Ｓ７０３，Ｓ７０４）。
【０１２３】
この時、端末に割り当てられる追加的レンジング機会も交渉され、よって、ターゲット基地局から該当の端末のための追加的レンジング機会が割り当てられるサブフレームのインデックス、及び動作時間情報が指示する時点に転送されるスーパーフレームヘッダーが含まれるスーパーフレームでレンジング機会が存在するフレームインデックス情報が、サービング基地局に獲得される。
【０１２４】
サービング基地局は端末に、追加的レンジング機会が割り当てられるサブフレームのインデックス及びフレームインデックスを、ハンドオーバー命令メッセージを通じて転送することができる（Ｓ７０５）。
【０１２５】
その後、端末は、動作時間情報が指示する時点で、ターゲット基地局からスーパーフレームヘッダーを受信してターゲット基地局のシステム設定情報を獲得することができる（Ｓ７０６）。
【０１２６】
ターゲット基地局のシステム設定情報を獲得した端末は、ハンドオーバー命令メッセージを通じて受信したサブフレーム／フレームインデックス情報が指示するレンジング機会を用いて、ＣＤＭＡレンジングコードを転送することができる。
【０１２７】
以降の手順は、一般のハンドオーバー手順に類似しているため、詳細な説明は省略する。
【０１２８】
サービング基地局とターゲット基地局は、上述した方法を単独でまたは組み合わせて用いる方法により端末のＣＤＭＡレンジングを支援することができる。
【０１２９】
すなわち、ハンドオーバー調整（ｃｏｏｒｄｉｎａｔｉｏｎ）が支援され、専用（ｄｅｄｉｃａｔｅｄ）コードまたはレンジング機会がＡＡＩ＿ＨＯ−ＣＭＤメッセージを通じて割り当てられた端末は、ターゲット基地局へのネットワーク再進入時に、敢えてＡ−ＭＡＰまたはＳＦＨを受信しなくても、成功的にＨＯ  ＣＤＭＡレンジングを行うことができる。一方、ハンドオーバーが調整されず、専用コードまたはレンジング機会が割り当てられなかった端末は、ターゲット基地局が転送するＡ−ＭＡＰまたはＳＦＨを受信して、追加的なレンジング機会領域に競合ベースのＣＤＭＡコードレンジング（ｃｏｎｔｅｎｔｉｏｎ−ｂａｓｅｄ  ＨＯ  ＣＤＭＡ  ｃｏｄｅ  ｒａｎｇｉｎｇ）を行うことができる。
【０１３０】
第２実施例
端末は、ハンドオーバー時に、専用コードを用いてＨＯ  ＣＤＭＡ  コードレンジングを行う場合に、ＣＤＭＡコードレンジングを再び行わねばならない場合が生じうる。これは、端末がターゲット基地局に転送したコードが正常に伝達されなかった場合、コードは正常に転送されたが、ターゲットＡＢＳからＡＡＩ＿ＲＮＧ−ＲＳＰメッセージ応答がない場合、またはターゲットＡＢＳから転送されたＡＡＩ＿ＲＮＧ−ＲＳＰメッセージの状態が「ｃｏｎｔｉｎｕｅ」の場合である。すなわち、追加的なレンジングが必要である場合、または、転送されたコードに対するＣＤＭＡ割当情報またはＲＮＧ−ＡＣＫやＲＮＧ−ＲＳＰメッセージが特定時間内に受信されなかった場合に相当する。これは、アップリンク同期化（ＵＬ  ｓｙｎｃｈｒｏｎｉｚａｔｉｏｎ）を行うために、追加的な時間または周波数オフセットのような物理パラメータ（ｐｈｙｓｉｃａｌ  ｐａｒａｍｅｔｅｒ）の調整が必要であるということを意味する。
【０１３１】
しかるに、専用レンジングコード（ｄｅｄｉｃａｔｅｄ  ＣＤＭＡ  ｒａｎｇｉｎｇ  ｃｏｄｅ）は一回のみ有効であるのか一般的であるため、上述した理由から端末が追加にＣＤＭＡレンジングを通じてアップリンク同期化を行うべき場合は、競合ベースのＣＤＭＡコードレンジングを行うしかない。これは、コード衝突（ｃｏｄｅ  ｃｏｌｌｉｓｉｏｎ）を招き、ハンドオーバー遅延時間（ＨＯ  ｉｎｔｅｒｒｕｐｔｉｏｎ  ｔｉｍｅ）を増加させる要因になりうる。
【０１３２】
そこで、本発明の他の実施例では、ターゲット基地局は、端末がアップリンク同期化を終える時までまたは特定回数だけ、端末が転送したＣＤＭＡコードを専用（ｄｅｄｉｃａｔｅ）に設定することを提案する。
【０１３３】
すなわち、端末が最初のレンジングに失敗し、「ｃｏｎｔｉｎｕｅ」状態のＡＡＩ＿ＲＮＧ−ＲＳＰを受信したり、転送したＣＤＭＡコードに対するＡＡＩ＿ＲＮＧ−ＲＳＰメッセージを特定時点まで受信できなかった場合に、ターゲットＡＢＳは、ＡＡＩ＿ＲＮＧ−ＲＳＰに、以前に割り当てられた専用ＣＤＭＡコードを再使用できるか否かを、下記の方法で知らせることができる。そのために、本実施例では、以前に割り当てられた専用ＣＤＭＡレンジングコードを再使用できるか否かを示す指示子（ｉｎｄｉｃａｔｏｒ）を定義することを提案する。
【０１３４】
以下、本実施例で提案する専用レンジングコード再使用指示子について説明する。本実施例に係る専用レンジングコード指示子は、１ビットの大きさを有し、「０」に設定されると、当該コードの再使用が不可能であるということを指示する。この場合、ターゲット基地局は、新しい専用コード及び／または専用レンジング機会を端末に割り当てることができ、そうでないと、端末は競合ベースのレンジングを行うことになる。一方、「１」に設定されると、以前に割り当てられた専用レンジングコードを再使用可能であるということを指示する。
【０１３５】
なお、専用コードに有効時間または有効回数をさらに与えてもよい。かかる有効時間または有効回数は、上述の１ビット指示子を用いて満了したか否かのみを示してもよく、フレームまたはサブフレーム単位で設定される有効時間情報または有効回数を直接示すビットをＡＡＩ＿ＲＮＧ−ＲＳＰメッセージに含める方法で端末に明示的に知らせてもよい。有効時間または有効回数の満了を暗示的に端末に知らせる場合には、新しい専用コードや、競合ベースレンジングを行うべき旨を指示する情報を、ＡＡＩ＿ＲＮＧ−ＲＳＰメッセージに含める方法を用いることができる。この時、レンジング応答メッセージは、端末が最初にターゲット基地局に転送した専用レンジングコードに対する応答として「ｃｏｎｔｉｎｕｅ」状態のレンジング応答メッセージでよい。
【０１３６】
上述した暗示的／明示的に専用コードの有効有無を端末に知らせる各方法は、選択的にまたは組み合わせて用いることができる。
【０１３７】
一方、上述した実施例で、端末のレンジングコード転送に対する応答としてターゲット基地局が端末に転送するレンジング応答（ＡＡＩ＿ＲＮＧ−ＲＳＰ）メッセージは、システムによっては、レンジング肯定応答（ＡＡＩ＿ＲＮＧ−ＡＣＫ）メッセージにも代替可能である。また、「追加的レンジング機会」は、「専用レンジング機会（ｄｅｄｉｃａｔｅｄ  ｒａｎｇｉｎｇ  ｏｐｐｏｒｔｕｎｉｔｙ）」という用語に代替可能である。
【０１３８】
端末及び基地局の構造
以下、本発明の他の実施例であって、上記の本発明の実施例を実行できる端末及び基地局（ＦＢＳ、ＭＢＳ）について説明する。
【０１３９】
端末は、アップリンクでは送信機として動作し、ダウンリンクでは受信機として動作できる。また、基地局は、アップリンクでは受信機として動作し、ダウンリンクでは送信機として動作できる。すなわち、端末及び基地局は、情報またはデータの転送のために送信機及び受信機を含むことができる。
【０１４０】
送信機及び受信機は、本発明の実施例を実行するためのプロセッサ、モジュール、部分及び／または手段などを含むことができる。特に、送信機及び受信機は、メッセージを暗号化するためのモジュール（手段）、暗号化したメッセージを解析するためのモジュール、メッセージを送受信するためのアンテナなどを含むことができる。このような送信端と受信端の一例を、図８を参照して説明する。
【０１４１】
図８は、本発明の他の実施例であって、送信端及び受信端の構造の一例を示すブロック図である。
【０１４２】
図８を参照すると、左側は送信端の構造を示し、右側は受信端の構造を示している。送信端及び受信端のそれぞれは、アンテナ５，１０、プロセッサ２０，３０、転送モジュール（Ｔｘ  ｍｏｄｕｌｅ）４０，５０、受信モジュール（Ｒｘ  ｍｏｄｕｌｅ）６０，７０及びメモリー８０，９０を含むことができる。各構成要素は、互いに対応する機能を実行することができる。以下、各構成要素についてより詳細に説明する。
【０１４３】
アンテナ５，１０は、転送モジュール４０，５０で生成された信号を外部に転送したり、外部から無線信号を受信して受信モジュール６０，７０に伝達する機能を担う。多重アンテナ（ＭＩＭＯ）機能が支援される場合には、２個以上が設けられてもよい。
【０１４４】
アンテナ、転送モジュール及び受信モジュールは共に、無線通信（ＲＦ）モジュールを構成することができる。
【０１４５】
プロセッサ２０，３０は、通常、移動端末機の全般動作を制御する。例えば、上述した本発明の実施例を実行するためのコントローラ機能、サービス特性及び伝播環境に応じたＭＡＣ（Ｍｅｄｉｕｍ  Ａｃｃｅｓｓ  Ｃｏｎｔｒｏｌ）フレーム可変制御機能、ハンドオーバー（ＨａｎｄＯｖｅｒ）機能、認証及び暗号化機能などを実行することができる。より具体的に、プロセッサ２０、３０は、図５乃至図７に示すハンドオーバー手順を行うための制御全般を行うことができる。
【０１４６】
特に、移動端末機のプロセッサは、ハンドオーバー命令メッセージを通じて、ターゲット基地局から追加的レンジング機会が割り当てられるフレーム及び／またはサブフレームのインデックスを獲得することができる。そのため、動作時間にターゲット基地局から追加的レンジング機会に関する情報を含むＡ−ＭＡＰを受信できない場合にも、プロセッサは、ハンドオーバー命令メッセージを通じて獲得した情報が指示する追加的レンジング機会を用いてＣＤＭＡレンジングが行われるように制御することができる。もし、動作時間情報がターゲット基地局のＳＦＨが転送される時点を指示する場合は、ＳＦＨをまず受信し、ターゲット基地局のシステム設定情報を先に獲得することができる。
【０１４７】
また、本発明の他の実施例において上述したように、専用コードがハンドオーバー命令メッセージを通じて割り当てられた場合に、プロセッサは、最初にターゲット基地局に転送した専用レンジングコードに対するレンジング応答メッセージが受信されるように制御することができる。この時、レンジング応答メッセージの状態は「ｃｏｎｔｉｎｕｅ」であり、同メッセージに含まれた専用コード再使用指示子が「０」に設定された場合には、競合ベースレンジングを行うように制御することができる。一方、専用コード再使用指示子が「１」に設定された場合には、プロセッサは、以前に割り当てられた専用レンジングコードを用いて再度レンジングを試みるように制御することができる。
【０１４８】
その他にも、端末のプロセッサは、上述した実施例に開示された動作の全般的な制御動作を行うことができる。
【０１４９】
転送モジュール４０，５０は、プロセッサ２０，３０からスケジューリングされて外部に転送されるデータに、所定の符号化（ｃｏｄｉｎｇ）及び変調（ｍｏｄｕｌａｔｉｏｎ）を行った後、アンテナ１０に伝達することができる。
【０１５０】
受信モジュール６０，７０は、外部からアンテナ５，１０を介して受信された無線信号に復号（ｄｅｃｏｄｉｎｇ）及び復調（ｄｅｍｏｄｕｌａｔｉｏｎ）を行って原本データの形態に復元し、プロセッサ２０，３０に伝達することができる。
【０１５１】
メモリー８０，９０は、プロセッサ２０，３０の処理及び制御のためのプログラムを格納することもでき、入／出力されるデータを臨時記憶する機能を担うこともできる。また、メモリー８０，９０は、フラッシュメモリータイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリー（例えば、ＳＤまたはＸＤメモリーなど）、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、磁気メモリー、磁気ディスク、光ディスクの少なくとも一タイプの記憶媒体を含むことができる。
【０１５２】
一方、基地局は、上述した本発明の実施例を実行するためのコントローラ機能、直交周波数分割多元接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及びチャネル多重化機能、サービス特性及び伝播環境に応じたＭＡＣフレーム可変制御機能、高速トラフィック実時間制御機能、ハンドオーバー（Ｈａｎｄｏｖｅｒ）機能、認証及び暗号化機能、データ転送のためのパケット変復調機能、高速パケットチャネルコーディング機能、及び実時間モデム制御機能などを、上述したモジュールの少なくとも一つにより行ったり、これらの機能を実行するための別の手段、モジュールまたは部分などをさらに備えることができる。
【０１５３】
本発明は、本発明の精神及び必須特徴から逸脱することなく、他の特定の形態に具体化できる。そのため、上記の詳細な説明はいずれの面においても制約的に解釈してはならず、例示的なものとして考慮しなければならない。本発明の範囲は、添付した請求項の合理的解釈により定めなければならず、本発明の等価的範囲内における変更はいずれも本発明の範囲に含まれる。また、特許請求の範囲で明示的な引用関係を有しない請求項を結合して実施例を構成したり、出願後の補正により新しい請求項として含めることができる。
【産業上の利用可能性】
【０１５４】
本発明の実施例は、様々な無線接続システムに適用することができる。様々な無線接続システムの一例には、３ＧＰＰ（３ｒｄ  Ｇｅｎｅｒａｔｉｏｎ  Ｐａｒｔｎｅｒｓｈｉｐ  Ｐｒｏｊｅｃｔ）、３ＧＰＰ２及び／またはＩＥＥＥ  ８０２．ｘｘ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  ８０２）システムなどがある。本発明の実施例は、これらの様々な無線接続システムの他、これら様々な無線接続システムを応用したいずれの技術分野にも適用することができる。
【図１】
0005624149.tif 000002
【図２】
0005624149.tif 000003
【図３】
0005624149.tif 000004
【図４】
0005624149.tif 000005
【図５】
0005624149.tif 000006
【図６】
0005624149.tif 000007
【図７】
0005624149.tif 000008
【図８】
0005624149.tif 000009